(57)【要約】【課題】電子機器同士を円滑に連携可能とする表示制御を可能とする。【解決手段】電子レジスタの店員用表示部に売上登録画面が表示され、ユーザ操作に従って所定の処理が進行している。所定の処理が進行している最中に、操作パネル２４０を表示するタブレット２００が電子レジスタに接続されると、店員用表示部代替画面２５０が操作パネル２４０に重なって表示される。【選択図】図９
2020013275.tif 000002
【特許請求の範囲】
【請求項１】
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が前記操作パネル上に重なって表示されるように、前記タッチ入力機能付表示手段における前記第２の表示画面を表示制御する表示制御手段、
を備えることを特徴とする表示システム。
【請求項２】
前記表示制御手段は、前記所定の処理の終了後に、前記操作パネル上への前記第１の表示画面の表示を終了する、
ことを特徴とする請求項１に記載の表示システム。
【請求項３】
前記表示制御手段により前記操作パネル上に前記第１の表示画面が表示されている間は、前記操作パネルからの入力を制限する入力制御手段、
をさらに備えることを特徴とする請求項１または２に記載の表示システム。
【請求項４】
前記表示制御手段は、前記所定の処理の実行中は、前記操作パネル上に重なって表示される第１の表示画面に対する操作を、前記電子機器に対するユーザ操作として、前記電子機器に伝達する、
ことを特徴とする請求項１に記載の表示システム。
【請求項５】
前記電子機器は、売上データ処理装置であり、
前記タッチ入力機能付表示手段は、タブレット端末であり、
前記第１の表示手段は、前記売上データ処理装置の店員用ディスプレイである、
ことを特徴とする請求項１に記載の表示システム。
【請求項６】
前記電子機器は、第３の表示手段を備え、
前記表示制御手段は、前記所定の処理の終了後に、前記第２の操作手段を介したユーザ操作に基づいて前記第３の表示手段に表示される第３の表示画面を表示制御する
ことを特徴とする請求項２に記載の表示システム。
【請求項７】
前記電子機器は、現金格納手段を備え、
前記表示制御手段は、前記所定の処理の終了後に、前記第２の操作手段を介したユーザ操作に基づいて前記現金格納手段を開閉制御する
ことを特徴とする請求項２に記載の表示システム。
【請求項８】
前記電子機器は、印刷手段を備え、
前記表示制御手段は、前記所定の処理の終了後に、前記第２の操作手段を介したユーザ操作に基づいて前記印刷手段を印刷制御する
ことを特徴とする請求項２に記載の表示システム。
【請求項９】
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が表示されるように、前記タッチ入力機能付表示手段を表示制御する表示制御手段、
を備えることを特徴とする表示システム。
【請求項１０】
コンピュータを、
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が前記操作パネル上に重なって表示されるように、前記タッチ入力機能付表示手段における前記第２の表示画面を表示制御する表示制御手段、
として機能させることを特徴とするプログラム。
【発明の詳細な説明】
【技術分野】
【０００１】
本発明は、電子機器間の連携が可能な表示システムおよびプログラムに関する。
【背景技術】
【０００２】
近年、タブレット型端末は、手に持ったまま店内のどこでも操作でき、また導入費用が安価である等の理由により、電子レジスタ用途での利用（タブレット型電子レジスタ）の普及が進んでいる。タブレット型電子レジスタは、クレジットカードや電子マネーでの支払いに対応する売上登録は容易であるが、タブレット型電子レジスタ単体ではレシートが印刷できない、現金の取り扱いが難しいという問題がある。
【０００３】
このような問題の解決策の１つとして、特許文献１に記載の技術がある。
【先行技術文献】
【特許文献】
【０００４】
【特許文献１】特開２０１６−９５５８７号公報
【発明の概要】
【発明が解決しようとする課題】
【０００５】
特許文献１には、売上登録処理中に客用ディスプレイに表示されるデータを客の携帯端末に表示させる技術や、客の携帯端末で電子レシートを作成する技術が記載されている（特許文献１の図８や図９参照）。しかしながら、タブレット型電子レジスタと、レシートを印刷するプリンタおよび金銭を保管するドロアを備えた従来型電子レジスタとを連携させる技術についての記載はない。
【０００６】
また、タブレット型電子レジスタと従来型電子レジスタとを連携させる場合は、２つの電子レジスタがそれぞれ有するデバイスを切り替えたり連動させたりする必要がある。
【０００７】
このような背景を鑑みて本発明がなされたのであり、本発明は、電子機器同士を円滑に連携可能とする表示システムおよびプログラムを提供することを課題とする。
【課題を解決するための手段】
【０００８】
前記した課題を解決するため、請求項１に記載の発明は、所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が前記操作パネル上に重なって表示されるように、前記タッチ入力機能付表示手段における前記第２の表示画面を表示制御する表示制御手段、を備えることを特徴とする表示システムとした。
【発明の効果】
【０００９】
本発明によれば、電子機器同士を円滑に連携可能とする表示システムおよびプログラムを提供することができる。
【図面の簡単な説明】
【００１０】
【図１】本実施形態に係る電子レジスタシステムの全体構成を示す図である。
【図２】本実施形態に係る電子レジスタの内部構成を示すブロック図である。
【図３】本実施形態に係る電子レジスタおよびタブレットの外観図である。
【図４】本実施形態に係る店員用表示部に表示される売上登録画面を示す図である。
【図５】本実施形態に係るタブレットの内部構成を示す図である。
【図６】本実施形態に係るタブレットに表示された売上登録画面の構成を示す図である。
【図７】本実施形態に係る電子レジスタでの売上登録中にタブレットが電子レジスタに配置されるときの利用手順を示すフローチャートである。
【図８】本実施形態に係るタブレットが電子レジスタに配置されたときの外観図である。
【図９】本実施形態に係る電子レジスタとタブレットとが結合された後に、電子レジスタにおいて売上登録処理中のタブレットの表示画面を示す図である。
【図１０】本実施形態に係る連携処理中の売上登録画面を示す図である。
【図１１】本実施形態に係る連携処理中に売上登録された商品の情報を表示する客用表示部を示す図である。
【図１２】本実施形態に係る連携処理中に合計額を表示する客用表示部を示す図である。
【図１３】本実施形態に係る電子レジスタとタブレットとの結合処理および連携処理におけるタブレットの処理を示すフローチャート（１）である。
【図１４】本実施形態に係る電子レジスタとタブレットとの結合処理および連携処理におけるタブレットの処理を示すフローチャート（２）である。
【図１５】本実施形態に係る電子レジスタとタブレットとの結合処理および連携処理における電子レジスタの処理を示すフローチャートである。
【図１６】本実施形態の変形例に係る電子レジスタの外観図である。
【図１７】本実施形態の変形例に係る電子レジスタにタブレットを配置したときの外観図である。
【図１８】本実施形態の変形例に係る電子レジスタとタブレットとが結合された後に、電子レジスタにおいて売上登録処理中のタブレットの表示画面を示す図である。
【発明を実施するための形態】
【００１１】
≪電子レジスタシステムの全体構成≫
以下に、本発明を実施するための形態（実施形態）における電子レジスタシステムを説明する。図１は、本実施形態に係る電子レジスタシステム１０の全体構成を示す図である。電子レジスタシステム１０は、ドロアやプリンタを備える電子レジスタ１００とタブレット２００とを含んで構成される。電子レジスタ１００とタブレット２００とは、Bluetooth（登録商標）などの無線通信を介して通信可能である。タブレット２００は、無線ＬＡＮアクセスポイント（図１では無線ＬＡＮ（Local Area Network）ＡＰと記載）８５０を介してサーバ３００にアクセス可能であり、クレジットカードや電子マネーを用いた決済が可能な電子レジスタとして機能する。
【００１２】
≪電子レジスタの構成≫
図２は、本実施形態に係る電子レジスタ１００の内部構成を示すブロック図である。図３は、本実施形態に係る電子レジスタ１００およびタブレット２００の外観図である。図２と図３を参照しながら、電子レジスタ１００の構成を説明する。
【００１３】
電子レジスタ１００は、ＣＰＵ（Central Processing Unit）１１０、記憶部１２０、店員用表示部１３１、客用表示部１３２、入力キー１３３、プリンタ１３４、ドロア１３５、通信部１３６、送電モジュール１３７およびセンサ１３８を含んで構成される。
【００１４】
ＣＰＵ１１０は、記憶部１２０に記憶されるプログラム（不図示）を実行することで、電子レジスタ１００を機能させる。記憶部１２０は、ＲＡＭ（Random Access Memory）１２１やＲＯＭ（Read Only Memory）１２２、フラッシュメモリ１２３から構成され、電子レジスタ１００を機能させるためのプログラムや処理中のデータを記憶する。
【００１５】
店員用表示部１３１は、電子レジスタ１００を操作する店員向けのディスプレイであり、売上登録画面（後記する図４参照）などを表示する。図４は、本実施形態に係る店員用表示部１３１に表示される売上登録画面１５１を示す図である。売上登録画面１５１は、電子レジスタ１００での売上登録処理中に店員用表示部１３１に表示される画面であり、売上登録された商品の名称や商品の金額、小計などが表示される。店員用表示部１３１には、売上登録画面１５１の他に、電子レジスタの操作モードに応じて、不図示の点検画面や電卓画面などが表示される。
【００１６】
図２に戻り、客用表示部１３２は、客向けのディスプレイである。入力キー１３３は、店員が操作するキーである。プリンタ１３４は、レシート１９９を印刷するプリンタであり、電子レジスタ１００の筐体内部でレシート１９９の下の位置に配置されている。ドロア１３５は、現金の格納庫である。通信部１３６は、データを送受信する通信デバイスであり、タブレット２００と通信可能である。
【００１７】
送電モジュール１３７は、タブレット２００の下辺が溝１４０に填り、店員用表示部１３１に立てかけるようにして、タブレット２００が電子レジスタ１００に配置された（後記する図８参照）ときに、タブレット２００を充電するための送電モジュールである。充電は、電磁誘導を用いた無線充電であってもよいし、接点で接続しての充電でもよい。
【００１８】
センサ１３８は、タブレット２００が電子レジスタ１００に配置されたことを検知してＣＰＵ１１０に通知するセンサである。センサ１３８に替わり、送電モジュール１３７が充電可能な状態になったことを検知することで、タブレット２００が電子レジスタ１００に配置されたことを検知するようにしてもよい。または、通信部１３６がタブレット２００の通信電波の強度からタブレット２００が電子レジスタ１００に配置されたことを検知するようにしてもよい。
【００１９】
≪タブレットの構成≫
図５は、本実施形態に係るタブレット２００の内部構成を示す図である。タブレット２００は、ＣＰＵ２１０、記憶部２２０、タッチパネルディスプレイ２３１、通信部２３２、受電モジュール２３３およびセンサ２３４を含んで構成される。
【００２０】
ＣＰＵ２１０は、記憶部２２０に記憶されるプログラム（不図示）を実行することで、タブレット２００を電子レジスタとして機能させる。記憶部２２０は、ＲＡＭ２２１やＲＯＭ２２２、フラッシュメモリ２２３から構成され、タブレット２００を電子レジスタとして機能させるためのプログラムや処理中のデータを記憶する。
【００２１】
タッチパネルディスプレイ２３１は、入力手段を兼ねたディスプレイである。通信部２３２は、データを送受信する通信デバイスであり、電子レジスタ１００やサーバ３００（図１参照）と通信可能である。受電モジュール２３３は、タブレット２００が電子レジスタ１００に配置されたときに、送電モジュール１３７からの送電を受け付け、タブレット２００を充電するための受電モジュールである。
【００２２】
センサ２３４は、タブレット２００が電子レジスタ１００に配置されたことを検知してＣＰＵ２１０に通知するセンサである。センサ２３４に替わり、受電モジュール２３３が充電可能な状態になったことを検知することで、タブレット２００が電子レジスタ１００に配置されたことを検知するようにしてもよい。または、通信部２３２が電子レジスタ１００の通信電波の強度からタブレット２００が電子レジスタ１００に配置されたことを検知するようにしてもよい。
【００２３】
図６は、本実施形態に係るタブレット２００に表示された売上登録画面２４０の構成を示す図である。売上登録画面２４０は、登録された商品の合計額を表示する領域２４１、登録された商品の名称や個数、金額を表示する領域２４２、商品の個数や客数等の数値を入力するテンキー２４３、商品を選択するボタンが並ぶメニュー領域２４４等を含んで構成される。
【００２４】
≪電子レジスタとタブレットの利用手順≫
電子レジスタとタブレットとの結合処理および連携処理を説明する前に、店員による電子レジスタとタブレットとを利用する手順を説明する。図７は、本実施形態に係る電子レジスタでの売上登録中にタブレットを電子レジスタに配置されるときの利用手順を示すフローチャートである。
【００２５】
ステップＳ１０１において、店員は、電子レジスタ１００の入力キー１３３を操作して売上登録を行う。登録内容は、店員用表示部１３１に表示される（図４参照）。
ステップＳ１０２において、店員は、タブレット２００を電子レジスタ１００に配置する。図８は、本実施形態に係るタブレット２００が電子レジスタ１００に配置されたときの外観図である。図８に示すように、店員は、タブレット２００の下辺が電子レジスタ１００の溝１４０（図３参照）に填り、店員用表示部１３１に立てかけるようにして配置する。このとき、電子レジスタ１００とタブレット２００とは、後記する結合処理を実行する。
【００２６】
ステップＳ１０３において、店員は、電子レジスタ１００を操作して、ステップＳ１０１の売上登録を継続して行う。店員は、入力キー１３３を操作して売上登録を行う。登録内容は、タブレット２００に表示される。図９は、本実施形態に係る電子レジスタ１００とタブレット２００とが結合された後に、電子レジスタ１００において売上登録処理中のタブレット２００の表示画面を示す図である。タッチパネルディスプレイ２３１の中央に、電子レジスタ１００で登録されている商品の名称や金額、小計が表示される店員用表示部代替画面２５０が、売上登録画面２４０に重なって表示されている。店員用表示部代替画面２５０は、電子レジスタ１００の店員用表示部１３１に表示される売上登録画面１５１（図４参照）の替わりとなる画面である。
【００２７】
図７に戻り、ステップＳ１０３の売上登録処理を終える（商品を選択して支払いまで終える）と、ステップＳ１０４において、店員は、タブレット２００を操作して売上登録を行う。このとき、電子レジスタ１００とタブレット２００とは、後記する連携処理を実行する。連携処理中は、店員は、電子レジスタ１００の入力キー１３３ではなく、タブレット２００のタッチパネルディスプレイ２３１を操作して売上登録を行う。図１０は、本実施形態に係る連携処理中の売上登録画面２４０Ａを示す図である。店員は、タブレット２００を単体で使用するときと同様に、メニュー領域２４４にあるボタンをタップすることで商品を選択することができる。売上登録画面２４０Ａでは、紅茶が選択され、合計額が表示されている（領域２４１Ａ，２４２Ａ参照）。
【００２８】
商品選択の内容は、タッチパネルディスプレイ２３１に表示されるとともに、電子レジスタ１００の客用表示部１３２（図３参照）にも表示される。図１１は、本実施形態に係る連携処理中に売上登録された商品の情報を表示する客用表示部１３２Ａを示す図である。図１２は、本実施形態に係る連携処理中に合計額を表示する客用表示部１３２Ｂを示す図である。図１１と図１２に示されるように、タブレット２００を操作しながら、電子レジスタ１００に備わる客用表示部が、タブレット２００に備わる客用表示部のように売上登録の内容が表示される。また、電子レジスタ１００のプリンタ１３４からレシートを印刷したり、現金での支払いのときにはドロア１３５を使用したりすることが可能となる。
【００２９】
≪電子レジスタとタブレットとの結合処理および連携処理≫
以下、図７のステップＳ１０２〜Ｓ１０４に示す店員の操作に対する、電子レジスタ１００とタブレット２００の処理を説明する。図１３は、本実施形態に係る電子レジスタ１００とタブレット２００との結合処理および連携処理におけるタブレット２００の処理を示すフローチャート（１）である。図１４は、本実施形態に係る電子レジスタ１００とタブレット２００との結合処理および連携処理におけるタブレット２００の処理を示すフローチャート（２）である。図１３と図１４とを参照しながら、タブレット２００が電子レジスタ１００に配置されて実行される結合処理と、その後の電子レジスタ１００とタブレット２００との連携処理におけるタブレット２００の処理を説明する。
【００３０】
なお、タブレット２００の記憶部２２０には、結合して連携可能な電子レジスタ１００の識別認証情報が予め登録済みである。逆に、電子レジスタ１００の記憶部１２０には、結合して連携可能なタブレット２００の識別認証情報が予め登録済みである。識別認証情報としては、通信部１３６，２３２に備わる通信デバイスのアドレスや暗号処理の鍵情報などがあり、記憶部１２０，２２０に記憶される。
【００３１】
ステップＳ２０１において、タブレット２００のＣＰＵ２１０は、センサ２３４を用いてタブレット２００が電子レジスタ１００に配置されたか否かを判断する。図８に示すように、タブレット２００の下辺が電子レジスタ１００の溝１４０（図３参照）に填り、店員用表示部１３１に立てかけるようにして配置される（図７のステップＳ１０２参照）と、センサ２３４が配置を検知する。
図１３に戻り、ＣＰＵ２１０は、配置を検出すると（ステップＳ２０１→Ｙ）ステップＳ２０２に進み、検出しないと（ステップＳ２０１→Ｎ）ステップＳ２０１に戻る。以下に説明するステップＳ２０２〜Ｓ２０７がタブレット２００における結合処理である。
【００３２】
ステップＳ２０２において、ＣＰＵ２１０は、タブレット２００が売上登録処理中ならば（ステップＳ２０２→Ｙ）ステップＳ２０３に進み、売上登録処理中でなければ（ステップＳ２０２→Ｎ）ステップＳ２０４に進む。
【００３３】
ステップＳ２０３において、ＣＰＵ２１０は、売上登録処理中であり、電子レジスタ１００との結合処理が不可である旨をタッチパネルディスプレイ２３１に表示して、結合処理を終了する。
ステップＳ２０４において、ＣＰＵ２１０は、電子レジスタ１００の認証処理を実行する。認証処理には、識別認証情報が用いられる。
【００３４】
ステップＳ２０５において、ＣＰＵ２１０は、ステップＳ２０４の認証処理が成功ならば（ステップＳ２０５→Ｙ）ステップＳ２０７に進み、失敗ならば（ステップＳ２０５→Ｎ）ステップＳ２０６に進む。
ステップＳ２０６において、ＣＰＵ２１０は、電子レジスタ１００が連携相手として登録されておらず、結合処理が不可である旨をタッチパネルディスプレイ２３１に表示して、結合処理を終了する。
【００３５】
ステップＳ２０７において、ＣＰＵ２１０は、電子レジスタ１００と結合した旨をタッチパネルディスプレイ２３１に表示する。以上で、結合処理は終了する。
ステップＳ２０８において、ＣＰＵ２１０は、電子レジスタ１００からデータを受信する。受信するデータは、結合前に電子レジスタ１００が店員用表示部１３１に表示していたデータ（後記する図１４のステップＳ３０７参照）、または、電子レジスタ１００での売上登録処理の終了通知（後記する図１４のステップＳ３０９参照）である。
【００３６】
ステップＳ２０９において、ＣＰＵ２１０は、ステップＳ２０８で受信したデータが電子レジスタ１００での売上登録処理の終了通知であれば（ステップＳ２０９→Ｙ）ステップＳ２１１に進み、売上登録処理の終了通知ではなく店員用表示部表示データであれば（ステップＳ２０９→Ｎ）ステップＳ２１０に進む。
【００３７】
ステップＳ２１０において、ＣＰＵ２１０は、ステップＳ２０８で受信した商品の名称や金額などの店員用表示部表示データをタッチパネルディスプレイ２３１に表示する（図９の店員用表示部代替画面２５０参照）。ステップＳ２０８〜Ｓ２１０が、図７のステップＳ１０３に対応するタブレット２００の処理である。
なお、店員用表示部代替画面２５０が表示されているタッチパネルディスプレイ２３１には売上登録画面２４０の一部も表示されているが（図９参照）、ＣＰＵ２１０は、売上登録画面２４０の一部が操作されても、操作を受け付けない。店員用表示部代替画面２５０が表示されている間は、タブレット２００に対する操作は制限されている。
【００３８】
図１４に移り、ステップＳ２１１において、ＣＰＵ２１０は、電子レジスタ１００との連携を開始した旨をタッチパネルディスプレイ２３１に表示する。以下のステップＳ２１２〜Ｓ２１７がタブレット２００における連携処理である。
ステップＳ２１２において、ＣＰＵ２１０は、売上登録画面２４０Ａ（図１０参照）をタッチパネルディスプレイ２３１に表示する。以降は、店員は、売上登録画面２４０Ａを操作して売上登録処理を行う。この売上登録処理が、図７のステップＳ１０４に対応する。
【００３９】
ステップＳ２１３において、ＣＰＵ２１０は、店員が売上登録画面２４０Ａで入力した売上登録の操作を受け付ける。
ステップＳ２１４において、ＣＰＵ２１０は、ステップＳ２１３で受け付けた操作が、小計ボタン２４５（図１０参照）のタップならば（ステップＳ２１４→Ｙ）ステップＳ２１６に進み、小計ボタン２４５のタップではなく商品選択ならば（ステップＳ２１４→Ｎ）ステップＳ２１５に進む。
【００４０】
ステップＳ２１５において、ＣＰＵ２１０は、ステップＳ２１３で受け付けた操作において選択された商品の名称と金額とを電子レジスタ１００に送信して、ステップＳ２１３に戻る。
ステップＳ２１６において、ＣＰＵ２１０は、選択された商品の合計額を算出し、電子レジスタ１００に送信する。以下では、客が現金で支払ったとして説明を続ける。
ステップＳ２１７において、ＣＰＵ２１０は、現金額を受け付け、釣り金額を算出して、電子レジスタ１００に送信する。
【００４１】
図１５は、本実施形態に係る電子レジスタ１００とタブレット２００との結合処理および連携処理における電子レジスタ１００の処理を示すフローチャートである。図１５を参照しながら、タブレット２００が電子レジスタ１００に配置されて実行される結合処理と、その後の電子レジスタ１００とタブレット２００との連携処理における電子レジスタ１００の処理を説明する。
【００４２】
ステップＳ３０１において、電子レジスタ１００のＣＰＵ１１０は、センサ１３８を用いてタブレット２００が電子レジスタ１００に配置されたか否かを判断する。ＣＰＵ１１０は、配置を検出すると（ステップＳ３０１→Ｙ）ステップＳ３０２に進み、検出しないと（ステップＳ３０１→Ｎ）ステップＳ３０１に戻る。なお、配置を検出する処理は、図７のステップＳ１０２に対応する処理である。以下に説明するステップＳ３０２〜Ｓ３０４が電子レジスタ１００における結合処理である。
【００４３】
ステップＳ３０２おいて、ＣＰＵ１１０は、タブレット２００の認証処理を実行する。認証処理には、識別認証情報が用いられる。
ステップＳ３０３において、ＣＰＵ１１０は、ステップＳ３０２の認証処理が成功ならば（ステップＳ３０３→Ｙ）ステップＳ３０５に進み、失敗ならば（ステップＳ３０３→Ｎ）ステップＳ３０４に進む。
【００４４】
ステップＳ３０４において、ＣＰＵ１１０は、タブレット２００が連携相手として登録されておらず、結合処理が不可である旨を店員用表示部１３１と客用表示部１３２とに表示して、結合処理を終了する。ＣＰＵ１１０は、表示の他に、スピーカ（不図示）から警告音を出力するようにしてもよい。
ステップＳ３０５において、ＣＰＵ１１０は、電子レジスタ１００が売上登録処理中ならば（ステップＳ３０５→Ｙ）ステップＳ３０６に進み、売上登録処理中でなければ（ステップＳ３０５→Ｎ）ステップＳ３０９に進む。
【００４５】
ステップＳ３０６において、ＣＰＵ１１０は、売上登録処理を実行する。この売上登録処理は、タブレット２００が電子レジスタ１００に配置される以前から実行されている売上登録処理であり、図７のステップＳ１０３に対応する処理であって、店員が入力キー１３３を用いて商品を選択したり、支払い処理をしたりしている最中である売上登録処理である。
ステップＳ３０７において、ＣＰＵ１１０は、ステップＳ３０６で売上登録処理された商品の名称や金額、小計などの店員用表示データをタブレット２００に送信する。送信された店員用表示データは、図１３のステップＳ２０８において受信される。
【００４６】
ステップＳ３０８において、ＣＰＵ１１０は、売上登録処理が完了したならば（ステップＳ３０８→Ｙ）ステップＳ３０９に進み、完了していないならば（ステップＳ３０８→Ｎ）ステップＳ３０６に戻る。
ステップＳ３０９において、ＣＰＵ１１０は、売上登録処理の終了通知をタブレット２００に送信する。送信された売上登録処理の終了通知は、図１３のステップＳ２０８において受信される。以下のステップＳ３１０〜Ｓ３１５が電子レジスタ１００における連携処理である。
【００４７】
ステップＳ３１０において、ＣＰＵ１１０は、データを受信する。受信するデータは、図１４のステップＳ２１５〜Ｓ２１７においてタブレット２００が送信したデータであり、（１）商品の名称と金額、（２）合計額、または、（３）現金額と釣り金額である。
ステップＳ３１１において、ＣＰＵ１１０は、ステップＳ３１０で受信したデータが現金額と釣り金額ならば（ステップＳ３１１→Ｙ）ステップＳ３１３に進み、現金額と釣り金額でないならば（ステップＳ３１１→Ｎ）ステップＳ３１２に進む。
【００４８】
ステップＳ３１２において、ＣＰＵ１１０は、受信した商品の名称と金額、または、小計を客用表示部１３２に表示して（図１１の客用表示部１３２Ａ、図１２の客用表示部１３２Ｂ参照）、ステップＳ３１０に戻る。
ステップＳ３１３において、ＣＰＵ１１０は、受信した現金額と釣り金額とを客用表示部１３２に表示する。
【００４９】
ステップＳ３１４において、ＣＰＵ１１０は、プリンタ１３４に指示して、レシートを印刷する。印刷する内容は、ステップＳ３１０で受信した（１）商品の名称と金額、（２）合計額、および、（３）現金額と釣り金額である。
ステップＳ３１５において、ＣＰＵ１１０は、ドロア１３５を開く。なお、ステップＳ３１０〜Ｓ３１５は、図７のステップＳ１０４に対応する電子レジスタ１００の処理である。
【００５０】
≪結合処理および連携処理の特徴≫
タブレット２００が電子レジスタ１００に配置されると、電子レジスタ１００とタブレット２００は、これを検知し、認証を行って結合する（図１３のステップＳ２０１〜Ｓ２０７、図１５のステップＳ３０１〜Ｓ３０４参照）。タブレット２００で売上登録処理中であれば結合は失敗する（ステップＳ２０２→Ｙ、ステップＳ２０３参照）。
【００５１】
一方、電子レジスタ１００で売上登録処理中であっても（ステップＳ３０５→Ｙ）、タブレット２００との結合は可能であり、売上登録処理を継続することが可能である（ステップＳ３０６）。このため、店員は、電子レジスタ１００が使用中であるか否か、タイミングを気にせずに、タブレット２００を電子レジスタ１００に配置することができる。
【００５２】
結合後には、通常のタブレット２００の売上登録画面２４０（図６参照）とは異なる店員用表示部代替画面２５０（図９参照）に商品名称や金額が表示されている。このため、店員は、表示されている商品は、タブレット２００ではなく、電子レジスタ１００で登録されている商品であることを容易に認識可能である。
【００５３】
電子レジスタ１００での売上登録処理が終了すると、タブレット２００のタッチパネルディスプレイ２３１を操作して売上登録処理が可能となる。このとき、タブレット２００のタッチパネルディスプレイ２３１には、店員用表示部代替画面２５０に替わって売上登録画面２４０Ａ（図１０参照）が表示される。このため、店員は、表示されている商品は、電子レジスタ１００ではなく、タブレット２００のタッチパネルディスプレイ２３１を操作して売上登録していることを容易に認識可能である。この売上登録処理中には、選択された商品の情報や小計が客用表示部１３２に表示され、レシートが印刷され、ドロア１３５が使用できる。
なお、本実施形態では、電子レジスタ１００が売上登録処理中における結合を説明したが、点検や電卓、戻し、設定など他の処理（モード）においても同様である。
【００５４】
≪変形例：売上登録中のタブレットとの結合≫
上記した実施形態では、タブレット２００単体が売上登録処理中に電子レジスタ１００に配置されると、エラーになる（図１３のステップＳ２０２→Ｙ、ステップＳ２０３参照）。処理中の売上登録処理が終了するまでタブレット２００単体で動作し、その後にステップＳ２０４以降の処理が始まるようにしてもよい。
【００５５】
≪変形例：異なる形状の電子レジスタ≫
電子レジスタの形状は、図３に示した電子レジスタ１００の形状には限定されず、別形状の電子レジスタでもよい。図１６は、本実施形態の変形例に係る電子レジスタ１００Ａの外観図である。電子レジスタ１００と同様に、店員用表示部１３１Ａ（本変形例ではタッチパネルディスプレイ）、客用表示部１３２Ａを備える。また、電子レジスタ１００Ａの筐体内部で、レシート１９９Ａの下の位置にプリンタ１３４Ａを備える。店員用表示部１３１Ａは、送電モジュール１３７Ａおよびセンサ１３８Ａを備える。
【００５６】
図１７は、本実施形態の変形例に係る電子レジスタ１００Ａにタブレット２００を配置したときの外観図である。図１８は、本実施形態の変形例に係る電子レジスタ１００Ａとタブレット２００とが結合された後に、電子レジスタ１００Ａにおいて売上登録処理中のタブレット２００の表示画面を示す図である。タッチパネルディスプレイ２３１の中央に、電子レジスタ１００Ａにおける売上登録処理中の店員用表示部１３１Ａの画面が、店員用表示部代替画面２５０Ａとして表示されている。
【００５７】
店員用表示部代替画面２５０Ａは、電子レジスタ１００Ａの店員用表示部１３１Ａの替わりとなる表示画面であり、店員は、店員用表示部代替画面２５０Ａを用いて電子レジスタ１００Ａを操作する。電子レジスタ１００に対する入力操作は、入力キー１３３に対する操作であり、電子レジスタ１００に対しての直接の入力操作であった。本変形例では、タブレット２００のタッチパネルディスプレイ２３１に表示された店員用表示部代替画面２５０Ａに対する操作が、電子レジスタ１００Ａへの操作となっており、タブレット２００を介した操作となっている。タブレット２００のＣＰＵ２１０は、店員用表示部代替画面２５０Ａに対する操作を電子レジスタ１００Ａに中継している。
【００５８】
≪変形例：店員用表示部代替画面を表示中のタッチパネルディスプレイ≫
図９や図１８に示したように、店員用表示部代替画面２５０，２５０Ａの背景として売上登録画面２４０が表示される。タブレット２００のＣＰＵ２１０は、売上登録画面２４０を表示せず、店員用表示部代替画面２５０，２５０Ａだけを表示してもよい。
【００５９】
以下に、この出願の願書に最初に添付した特許請求の範囲に記載した発明を付記する。付記に記載した請求項の項番は、この出願の願書に最初に添付した特許請求の範囲の通りである。
【００６０】
≪付記≫
《請求項１》
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が前記操作パネル上に重なって表示されるように、前記タッチ入力機能付表示手段における前記第２の表示画面を表示制御する表示制御手段、
を備えることを特徴とする表示システム。
《請求項２》
前記表示制御手段は、前記所定の処理の終了後に、前記操作パネル上への前記第１の表示画面の表示を終了する、
ことを特徴とする請求項１に記載の表示システム。
《請求項３》
前記表示制御手段により前記操作パネル上に前記第１の表示画面が表示されている間は、前記操作パネルからの入力を制限する入力制御手段、
をさらに備えることを特徴とする請求項１または２に記載の表示システム。
《請求項４》
前記表示制御手段は、前記所定の処理の実行中は、前記操作パネル上に重なって表示される第１の表示画面に対する操作を、前記電子機器に対するユーザ操作として、前記電子機器に伝達する、
ことを特徴とする請求項１に記載の表示システム。
《請求項５》
前記電子機器は、売上データ処理装置であり、
前記タッチ入力機能付表示手段は、タブレット端末であり、
前記第１の表示手段は、前記売上データ処理装置の店員用ディスプレイである、
ことを特徴とする請求項１に記載の表示システム。
《請求項６》
前記電子機器は、第３の表示手段を備え、
前記表示制御手段は、前記所定の処理の終了後に、前記第２の操作手段を介したユーザ操作に基づいて前記第３の表示手段に表示される第３の表示画面を表示制御する
ことを特徴とする請求項２に記載の表示システム。
《請求項７》
前記電子機器は、現金格納手段を備え、
前記表示制御手段は、前記所定の処理の終了後に、前記第２の操作手段を介したユーザ操作に基づいて前記現金格納手段を開閉制御する
ことを特徴とする請求項２に記載の表示システム。
《請求項８》
前記電子機器は、印刷手段を備え、
前記表示制御手段は、前記所定の処理の終了後に、前記第２の操作手段を介したユーザ操作に基づいて前記印刷手段を印刷制御する
ことを特徴とする請求項２に記載の表示システム。
《請求項９》
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が表示されるように、前記タッチ入力機能付表示手段を表示制御する表示制御手段、
を備えることを特徴とする表示システム。
《請求項１０》
コンピュータを、
所定の電子機器における第１の表示手段に表示される第１の表示画面への表示制御を伴う所定の処理が第１の操作手段を介したユーザ操作に従って進行している途中で、第２の表示画面として操作パネルが表示されているタッチ入力機能付表示手段が第２の操作手段として前記電子機器に接続された場合に、前記第１の表示手段に表示されている第１の表示画面が前記操作パネル上に重なって表示されるように、前記タッチ入力機能付表示手段における前記第２の表示画面を表示制御する表示制御手段、
として機能させることを特徴とするプログラム。
【符号の説明】
【００６１】
１０    電子レジスタシステム（表示システム）
１００，１００Ａ  電子レジスタ（電子機器）
１１０  ＣＰＵ
１３１  店員用表示部（第１の表示手段）
１３２  客用表示部（第３の表示手段）
１３３  入力キー（第１の操作手段）
１３４，１３４Ａ  プリンタ（印刷手段）
１３５  ドロア（現金格納手段）
１５１  売上登録画面（第１の表示画面）
２００  タブレット（タッチ入力機能付表示手段、第２の操作手段）
２１０  ＣＰＵ（表示制御手段、入力制御手段）
２３１  タッチパネルディスプレイ（タッチ入力機能付表示手段）
２４０，２４０Ａ  売上登録画面（第２の表示画面、操作パネル）
２５０  店員用表示部代替画面
【図１】
2020013275.tif 000003
【図２】
2020013275.tif 000004
【図３】
2020013275.tif 000005
【図４】
2020013275.tif 000006
【図５】
2020013275.tif 000007
【図６】
2020013275.tif 000008
【図７】
2020013275.tif 000009
【図８】
2020013275.tif 000010
【図９】
2020013275.tif 000011
【図１０】
2020013275.tif 000012
【図１１】
2020013275.tif 000013
【図１２】
2020013275.tif 000014
【図１３】
2020013275.tif 000015
【図１４】
2020013275.tif 000016
【図１５】
2020013275.tif 000017
【図１６】
2020013275.tif 000018
【図１７】
2020013275.tif 000019
【図１８】
2020013275.tif 000020